(57)【要約】【課題】外部機器からのコネクタを容易に挿抜することができると共に、端子カバーの紛失を防止することができる電子機器を提供する。【解決手段】挿抜動作により開口部１６を開閉可能な端子カバー１８を設け、端子カバー１８は、開口部１６を閉塞するカバー本体１９と、カバー本体１９から第一筐体２に向かって延出する舌片部２０から成り、舌片部２０にスリット２１を設けると共に、第一筐体２に突起２６を設け、スリット２１は、端子カバー１８の挿抜方向に沿って延在する第一スリット２２と、第一スリット２２に交差する第二スリット２３から成ると共に、突起２６は、第一スリット２２内を移動自在に立設された突起本体２７と、突起本体２７の先端から第一スリット２２と交差する水平方向に延設され、第二スリット２３を通過可能な頭部２８とから成る。【選択図】図２
2008084754.tif 000002
【特許請求の範囲】
【請求項１】
筐体の一部に開口部を設け、該開口部に外部機器との接続端子を配設した電子機器において、
挿抜動作により前記開口部を開閉可能な端子カバーを設け、
該端子カバーは、前記開口部を閉塞するカバー本体と、該カバー本体から前記筐体に向かって延出する舌片部から成り、
前記舌片部にスリットを設けると共に、前記筐体に突起を設け、
前記スリットは、前記端子カバーの挿抜方向に沿って延在する第一スリットと、前記第一スリットに交差する第二スリットから成ると共に、
前記突起は、前記第一スリット内を移動自在に立設された突起本体と、該突起本体の先端から前記第一スリットと交差する水平方向に延設され、前記第二スリットを通過可能な頭部とから成ることを特徴とする電子機器。
【請求項２】
筐体の一部に開口部を設け、該開口部に外部機器との接続端子を配設した電子機器において、
挿抜動作により前記開口部を開閉可能な端子カバーを設け、
該端子カバーは、前記開口部を閉塞するカバー本体と、該カバー本体から前記筐体に向かって延出する舌片部から成り、
前記舌片部に複数のスリットを設けると共に、前記筐体に複数の前記スリットに対応する複数の突起を設け、
複数の前記スリットは、それぞれ前記端子カバーの挿抜方向に沿って延在する第一スリットと、前記第一スリットに交差する第二スリットから成ると共に、
複数の前記突起は、それぞれ前記第一スリット内を移動自在に立設された突起本体と、該突起本体の先端から前記第一スリットと交差する水平方向に延設され、前記第二スリットを通過可能な頭部とから成ることを特徴とする電子機器。
【請求項３】
前記第一スリットの長さは、前記第二スリットの長さよりも長く設定されていることを特徴とする請求項１又は請求項２に記載の電子機器。
【請求項４】
前記カバー本体により前記開口部を閉塞した状態で、前記突起と前記カバー本体との間に前記第二スリットが配置されるように形成したことを特徴とする請求項１乃至請求項３の何れか１項に記載の電子機器。
【請求項５】
前記第二スリットは、前記第一スリットと直交するように形成したことを特徴とする請求項１乃至請求項４の何れか１項に記載の電子機器。
【請求項６】
前記端子カバーの少なくとも前記舌片部が弾性体で形成されていることを特徴とする請求項１乃至請求項５の何れか１項に記載の電子機器。
【請求項７】
前記カバー本体の幅と前記舌片部の幅は略一致することを特徴とする請求項１乃至請求項６の何れか１項に記載の電子機器。    
【発明の詳細な説明】
【技術分野】
【０００１】
この発明は、携帯電話機等の電子機器に関するものであり、特に、電子機器に配設された接続端子への塵埃の侵入を防止するための端子カバーの構造に特徴がある電子機器に関するものである。
【背景技術】
【０００２】
一般に、電子機器であるパーソナルコンピュータ、ＰＤＡ、カメラ、携帯電話機等には、外部機器からのコネクタを接続して相互のデータ通信を行うための接続端子が装備されている。特に、携帯可能な電子機器においては、機器本体の携帯性に配慮して筐体の一部に開口部を設け、この開口部に接続端子が配設されている。そして、この接続端子には、外部機器からのコネクタを接続しないときに開口部を閉塞するための端子カバーが取り付けられていることが多い。この端子カバーは、コネクタ非接続時の接続端子への塵埃の侵入を防止すると共に、衝撃等から保護するためのものであって、樹脂又はゴム等で成形されている。
【０００３】
また、端子カバーの構造には、着脱式と固定式の二種類がある。着脱式の端子カバーは電子機器から取り外すことが可能な構造で、端子カバーを筐体の開口部に取り付ける際には、接続端子の構造の凹凸と嵌合できるようになっている。しかしながら、このような構造の着脱式の端子カバーは簡単に取り外すことができるため、不用意に外れてしまい、端子カバーが紛失する虞がある。
一方、固定式の端子カバーは端子カバーの一部が筐体に支持されており、この支持されている部分を支点として端子カバーが開口部に対して開閉可能な構造になっている。しかしながら、このような構造の固定式の端子カバーは、外部機器からのコネクタを頻繁に使用するユーザーにとって、そのコネクタを挿抜する際、端子カバーが障害になり、作業しづらくなる虞がある。
【０００４】
そこで、特許文献１に開示されているように、端子カバーを電子機器の筐体とバッテリーカバーとで挟持する構造とし、コネクタの使用時には端子カバーを筐体内に収納し、コネクタ非接続時には端子カバーを筐体の開口部側に装着するようにした技術が提案されている。このようにすることで、端子カバーの紛失防止を図ると共に、コネクタの挿抜を容易にすることができる。
【特許文献１】特開２００１−１８５２８１号公報
【発明の開示】
【発明が解決しようとする課題】
【０００５】
しかしながら、上述した従来技術では、端子カバーを電子機器の筐体とバッテリーカバーとで挟持するため、端子カバーを筐体の開口部側に装着する際と筐体内側に収納する際に、その都度バッテリーカバーを取り外す必要がある。このため、外部機器からのコネクタを電子機器の接続端子に挿抜する作業に手間がかかるという課題がある。
また、頻繁にバッテリーカバーを取り外すため、バッテリーカバーを取り外した際に端子カバーが紛失する虞があり、端子カバーの紛失防止を図る効果的な手段とはなりえないという課題がある。  
【０００６】
そこで、本発明は、外部機器からのコネクタを容易に挿抜することができると共に、端子カバーの紛失を防止することができる電子機器を提供するものである。
【課題を解決するための手段】
【０００７】
上記の課題を解決するために、本発明は、筐体の一部に開口部を設け、該開口部に外部機器との接続端子を配設した電子機器において、挿抜動作により前記開口部を開閉可能な端子カバーを設け、該端子カバーは、前記開口部を閉塞するカバー本体と、該カバー本体から前記筐体に向かって延出する舌片部から成り、前記舌片部にスリットを設けると共に、前記筐体に突起を設け、前記スリットは、前記端子カバーの挿抜方向に沿って延在する第一スリットと、前記第一スリットに交差する第二スリットから成ると共に、前記突起は、前記第一スリット内を移動自在に立設された突起本体と、該突起本体の先端から前記第一スリットと交差する水平方向に延設され、前記第二スリットを通過可能な頭部とから成ることを特徴とする。
【０００８】
また、本発明は、筐体の一部に開口部を設け、該開口部に外部機器との接続端子を配設した電子機器において、挿抜動作により前記開口部を開閉可能な端子カバーを設け、該端子カバーは、前記開口部を閉塞するカバー本体と、該カバー本体から前記筐体に向かって延出する舌片部から成り、前記舌片部に複数のスリットを設けると共に、前記筐体に複数の前記スリットに対応する複数の突起を設け、複数の前記スリットは、それぞれ前記端子カバーの挿抜方向に沿って延在する第一スリットと、前記第一スリットに交差する第二スリットから成ると共に、複数の前記突起は、それぞれ前記第一スリット内を移動自在に立設された突起本体と、該突起本体の先端から前記第一スリットと交差する水平方向に延設され、前記第二スリットを通過可能な頭部とから成ることを特徴とする。
【０００９】
さらに、本発明は、前記第一スリットの長さは、前記第二スリットの長さよりも長く設定されていることを特徴とする。
【００１０】
そして、本発明は、前記カバー本体により前記開口部を閉塞した状態で、前記突起と前記カバー本体との間に前記第二スリットが配置されるように形成したことを特徴とする。
【００１１】
また、本発明は、前記第二スリットは、前記第一スリットと直交するように形成したことを特徴とする。
【００１２】
さらに、本発明は、前記端子カバーの少なくとも前記舌片部が弾性体で形成されていることを特徴とする。
【００１３】
そして、本発明は、前記カバー本体の幅と前記舌片部の幅は略一致することを特徴とする。
【発明の効果】
【００１４】
本発明によれば、電子機器の筐体又は端子カバーに設けられた第一スリットによって、端子カバーをコネクタの挿抜方向にスライド可能に取り付けることができる。このため、筐体の開口部を閉塞するカバー本体を開口部から離れる方向に向かってスライドさせれば、バッテリーカバー等を取り外すことなく、電子機器の接続端子周辺（接続端子が設けられている開口部周辺）にコネクタを容易に挿抜可能とするスペースを確保することができる。よって、外部機器からのコネクタを容易に接続端子に対して挿抜することが可能になる。
また、第一スリットと交差する水平方向に延設され、第二スリットを通過可能な突起の頭部を設けたので、突起の頭部が簡単にスリットから外れてしまうことが困難になる。つまり、容易に端子カバーを電子機器の筐体に取り付けることはできるが、簡単に端子カバーを筐体から取り外すことができないようになる。よって、端子カバーの紛失を防止することができる。
【発明を実施するための最良の形態】
【００１５】
（第一実施形態）
次に、本発明の第一実施形態を図面に基づいて説明する。
図１は電子機器である携帯電話機１の斜視図である。図２は図１のＡ矢視図である。
図１に示すように、携帯電話機１は、第一筐体２と、この第一筐体２の厚さ方向に重ね合わせ可能な第二筐体３と、これら二つの筐体２，３を相互に折り畳み自在に連結するヒンジ部５とを備えている。ヒンジ部５は、二つの筐体２，３の各基端部４ａ，４ｂ同士を連結するように配置されている。
【００１６】
第二筐体３の内部には、各種情報を表示する表示領域６を有する表示部７及び通話用のスピーカ８が設けられている。表示部７は、ＬＣＤ（ＬＣＤ；Ｌｉｑｕｉｄ  Ｃｒｙｓｔａｌ  Ｄｉｓｐｌａｙ）あるいはＥＬ（ＥＬ；Ｅｌｅｃｔｒｏ  Ｌｕｍｉｎｅｓｃｅｎｃｅ）ディスプレイ等から成り、表示部７の表示領域６が二つの筐体２，３を重ね合わせた状態において、第一筐体２に対向する第二筐体３の表面側に露出するように設けられている。
通話用のスピーカ８は、基端部４ｂとは反対側に位置する第二筐体３の先端に配置されており、第二筐体３の表面から第二筐体３の内部空間に貫通する開口部８ａを介して外方に露出されている。
【００１７】
第一筐体２の内部には、テンキー９やカーソルキー１０あるいはファンクションキー１１等の複数の操作キーを備えたキー操作部１２、及び、通話用のマイクロフォン１３が設けられている。キー操作部１２は、二つの筐体２，３を相互に重ね合わせた状態において、第二筐体３に対向する第一筐体２の表面から外方に露出している。
マイクロフォン１３は、基端部４ａとは反対側に位置する第一筐体２の先端部に配置されており、第一筐体２の表面から第一筐体２の内部空間に貫通する開口部１３ａを介して外方に露出している。
【００１８】
第一筐体２の複数の操作キー９，１０，１１が露出している表面とは反対側の裏面には、電源としての内部バッテリー１４が着脱可能に設けられている。また、この内部バッテリー１４を覆うようにバッテリーカバー１５が設けられている。
さらに、第一筐体２の先端部には、開口部１６が形成されている。この開口部１６内には、接続端子１７が設けられている。接続端子１７は、不図示の外部機器に接続されているコネクタ（例えば、通信用のＩ／Ｏコネクタ等）を接続することによって相互にデータ通信を行うためのものである。また、開口部１６には、これを閉塞する端子カバー１８が取り付けられている。  
【００１９】
図２は図１のＡ矢視図であって、バッテリーカバー１５を取り外した状態を示す。図３は、端子カバー１８の斜視図である。
図２、図３に示すように、端子カバー１８は、常温でゴム状の弾性を有する高分子物質（エラストマ；Ｅｌａｓｔｏｍｅｒ）で形成されたものであって、断面略Ｌ字状に形成されている。この端子カバー１８は、開口部１６を閉塞するカバー本体１９と、カバー本体１９から第一筐体２の長手方向（外部機器からのコネクタの挿抜方向）に沿って第一筐体２の基端部４ａ側に向かって延出する舌片部２０とが一体成形されている。これらカバー本体１９と舌片部２０の幅（図２における左右方向）方向の寸法は、略一致するように設定されている。
【００２０】
図２、図３に示すように、舌片部２０には略十字状のスリット２１が形成されている。このスリット２１は、第一筐体２の長手方向に沿って延在する第一スリット２２と、第一スリット２２に直交する第二スリット２３とで構成されている。
第一スリット２２は、舌片部２０の幅方向略中央に形成されている。第一スリット２２の長さは、第二スリット２３よりも長く設定されている。第二スリット２３は、第一スリット２２の略中央からカバー本体１９寄りに形成されている。第二スリット２３は、第一スリット２２と直交して形成されているため、カバー本体１９の幅方向に沿って延在した状態になっている。
【００２１】
第一筐体２の先端には、カバー本体１９に対応する部分にカバー本体１９を収納するための凹部２４が形成されている。また、第一筐体２の裏面には、舌片部２０に対応する部分に舌片部２０を収納するための凹部２５が設けられている。この凹部２５の底面には、舌片部２０の第一スリット２２に対応する部分に突起２６が設けられている。突起２６は、端子カバー１８のカバー本体１９が筐体２の開口部１６を閉塞している状態（図２参照）において、第二スリット２３よりも筐体２の基端部４ａ寄り（図２における上側寄り）に配設されている。すなわち、端子カバー１８のカバー本体１９が筐体２の開口部１６を閉塞している状態においては、突起２６とカバー本体１９との間に第二スリット２３が配置されるようになっている。
【００２２】
図４は、図２のＢ−Ｂ線に沿う断面図である。
同図に示すように、突起２６は、断面略Ｔ字状に形成されたものであって、第一スリット２２のスリット幅に対応する突起本体２７と、突起本体２７の先端に設けられた頭部２８とが一体成形されたものである。
突起本体２７は略円柱状に形成されたものであって、突起本体２７の高さは舌片部２０の肉厚ｄよりも大きく設定されている。頭部２８は短冊状に形成されたものであって、その底面中央部が突起本体２７の上端部に接続されている。そして、頭部２８は、長手方向が第二スリット２３の長手方向に沿うように、つまり、第一スリット２２と直交するように水平方向に延設されている。頭部２８の平面形状は、第二スリット２３の平面形状に対応するように形成されている。
【００２３】
このため、突起２６は、第一筐体２の幅方向（図２における左右方向）においては頭部２８の寸法Ｅ１が突起本体２７の寸法Ｅ２よりも大きく設定された状態になっている。したがって、端子カバー１８が第一筐体２にセットされた状態（図２参照）においては、第一スリット２２が突起２６の頭部２８を通過するのは困難な状態になっている。このため、頭部２８が、端子カバー１８の突起本体２７からの抜け防止として機能する。よって、一旦第一筐体２に端子カバー１８をセットすれば、端子カバー１８が第一筐体２から脱落するのを防止できるようになっている。
【００２４】
次に、端子カバー１８の第一筐体２へのセット方法と、外部機器からのコネクタの接続端子１７に対する非接続時及び接続時の端子カバー１８の状態について説明する。
まず、携帯電話機１のバッテリーカバー１５を第一筐体２から外す。次に、図５に示すように、端子カバー１８のカバー本体１９を第一筐体２の開口部１６を閉塞できる方向（図５における紙面奥側）に向けつつ、端子カバー１８の舌片部２０に形成されている第二スリット２３を第一筐体２の突起２６の頭部２８に合わせ、端子カバー１８を第一筐体２側に向かって押込む。
【００２５】
このとき、突起２６の配設されている位置が、端子カバー１８による開口部１６閉塞時における第二スリット２３の位置よりも筐体２の基端部４ａ側に寄っている。このため、カバー本体１９と第一筐体２とが干渉してしまうが、端子カバー１８は、エラストマで形成されているため、端子カバー１８が弾性変形する。よって、舌片部２０の第二スリット２３を突起２６の頭部２８へと容易に押込むことができる。
【００２６】
そして、頭部２８が完全に第二スリット２３を通過すると、舌片部２０の復元力によって端子カバー１８が第一筐体２の先端側に向かって（図５における下側に向かって）僅かにスライドし、舌片部２０が第一筐体２の凹部２５に収納された状態となる（図２の状態、外部機器からのコネクタの接続端子１７に対する非接続時の端子カバー１８の状態）。このとき、第一筐体２先端のカバー本体１９に対応する部分には、カバー本体１９を収納するための凹部２４が形成されているため、カバー本体１９が第一筐体２から突出した状態とはならず、美観を損ねる虞がない。また、カバー本体１９が凹部２４に収納されているため、多少の外力が端子カバー１８に加わったとしても、カバー本体１９がずれることなく、確実に開口部１６を閉塞できるようになっている。
このように、第一筐体２に端子カバー１８をセットした後、第一筐体２にバッテリーカバー１５を取り付ける。そして、端子カバー１８の第一筐体２へのセットが完了する。  
【００２７】
図６は、端子カバー１８をスライドさせた状態を示す平面図、図７は、図６の側面図である。尚、図６は、説明の便宜上バッテリーカバー１５を取り外した状態を示す。
図５、図６に示すように、端子カバー１８は、舌片部２０に形成されている第一スリット２２及び第一筐体２に形成されている凹部２５によって、外部機器からのコネクタの挿抜方向（図５における上下方向）に沿って第一筐体２の開口部１６から離れる方向（図５における下方）に向かってスライド可能となっている。
【００２８】
スライドさせた端子カバー１８は、舌片部２０がエラストマで形成されているため、第一筐体２の先端２ａを支点としてバッテリーカバー１５側（図６における下方）に向かって容易に弾性変形させ、カバー本体１９を下方に退避させることができる。このため、接続端子１７周辺（開口部１６周辺）に外部機器（不図示）からのコネクタ２９を容易に挿抜できるだけのスペースを確保することができる。よって、コネクタ２９を容易に接続端子１７に対して挿抜することができるようになっている。
【００２９】
尚、端子カバー１８をスライド移動させた状態におけるカバー本体１９と第一筐体２との間の距離Ｌ（図５参照）は、できる限り長く設定することが望ましい。距離Ｌを長く設定することで、第一筐体２の先端２ａ（支点）からカバー本体１９までの距離が長くなり、舌片部２０をさらに容易に弾性変形させることが可能になるからである。
また、端子カバー１８をスライド移動させた状態（図５参照）において、舌片部２０に形成されている第二スリット２３が第一筐体２の先端２ａに対応する部分に配置されるようにすることが望ましい。特に、突起本体２７が第一スリットの奥端部に当接するまで端子カバー１８を最大限にスライドさせた状態において、第二スリット２３が第一筐体２の先端２ａに対応する部分に配置されるように、突起２６及び第二スリット２３を形成することが望ましい。このようにすることで、スライド移動させた状態の舌片部２０をより容易に弾性変形させることができる。
【００３０】
ここで、一般的に、この種の端子カバーにおいては、スライド移動させた端子カバーを容易に弾性変形、又は撓ませるために、この実施形態における第一筐体２の先端２ａを支点として弾性変形、又は撓ませる部分に切り欠き部を設けることが多い。このように切り欠き部を設けることによって、端子カバーの一部を薄肉形状とし、その薄肉部分を支点として端子カバーを弾性変形、又は撓ませるようになっている。しかしながら、この実施形態においては、舌片部２０の第一筐体２の先端２ａに対応する部分に第二スリット２３を形成することによって、切り欠き部を設けることなく、容易に弾性変形させることが可能になっている。  
【００３１】
したがって、上述の第一実施形態によれば、端子カバー１８の舌片部２０に形成されている第一スリット２２によって、端子カバー１８を外部機器からのコネクタ２９の挿抜方向に沿って第一筐体２の開口部１６から離れる方向にスライドさせることができる。また、舌片部２０がエラストマで形成されているため、容易に弾性変形させることができる。このため、バッテリーカバー１５を取り外すことなく、接続端子１７周辺（開口部１６周辺）に外部機器（不図示）からのコネクタ２９を容易に挿抜できるだけのスペースを確保することができる。よって、コネクタ２９を容易に接続端子１７に対して挿抜することが可能になる。
【００３２】
また、第一スリット２２と直交するように水平方向に延設され、第二スリット２３を通過可能な突起２６の頭部２８を設けたので、端子カバー１８を容易に第一筐体２に取り付けることができると共に、例えば、バッテリーカバー１５を第一筐体２から取り外した状態であっても、端子カバー１８が脱落することを防止できる。このため、端子カバー１８の紛失を防止することが可能になる。
【００３３】
さらに、突起２６の頭部２８が第一スリット２２に対して直交するように設けられることで、端子カバー１８が第一筐体２から抜け出ることを防止している。このため、第二スリット２３の外形の大きさを頭部２８の外形の大きさより大きく設定することができる。よって、第二スリット２３に突起２６の頭部２８をスムーズに通過させることができ、より容易に端子カバー１８を第一筐体２に取り付けることが可能になる。
【００３４】
そして、カバー本体１９が第一筐体２の開口部１６を閉塞している状態（コネクタ２９の非接続時の端子カバー１８の状態）において、突起２６が第二スリット２３よりも第一筐体２の基端部４ａ寄りに配設されているため、第一筐体２からの端子カバー１８の脱着が困難になっている。よって、例えば、端子カバー１８が開口部１６から離れる方向（図２における下方）に向かってずれるようなことがあっても、端子カバー１８が第一筐体２から不用意に外れることがない。
また、第一筐体２の端子カバー１８に対応する部分に凹部２４，２５が形成されているため、端子カバー１８が外力によってずれることを防止できる。このため、確実に接続端子１７への塵埃の侵入や、衝撃等から保護することできると共に、第一筐体２から端子カバー１８を突出させることなく、美観を損ねる虞がない。特に、凹部２５にあっては、端子カバー１８のスライド方向へのガイドの役割を果たすと共に、端子カバー１８のガタツキを防止する効果も奏している。
【００３５】
さらに、舌片部２０の第二スリット２３が第一スリット２２の長手方向略中央からカバー本体１９寄りに、つまり、突起２６とカバー本体１９との間に第二スリット２３が配置されるように形成されているため、端子カバー１８のスライド動作において、第二スリット２３が第一筐体２に設けられた突起２６を通過することがない（図２、図５参照）。このため、端子カバー１８をスライド動作させる際に第二スリット２３が突起２６に引っ掛かる虞がなく、スムーズに端子カバー１８のスライド動作を行うことができる。
そして、端子カバー１８をエラストマで形成しているため、コネクタ２９の接続時においては、舌片部２０が容易に弾性変形する。よって、コネクタ２９の挿抜作業をより容易に行うことができる。  
【００３６】
また、端子カバー１８にスリット２１を形成し、第一筐体２に突起２６を設けることによって、端子カバー１８を第一筐体２に取り付けたままの状態とすることができると共に、端子カバー１８を第一筐体２から取り外した状態とすることもできる。このため、端子カバー１８を携帯電話機１に取り付けておきたいユーザーや、端子カバー１８を携帯電話機１から取り外しておきたいユーザー等、幅広いユーザーのニーズに対応することが可能になる。
【００３７】
尚、図８に示すように、第一スリット２２と直交して形成された第二スリット２３の幅方向両端に円弧状に形成されたＲ部３０を設けてもよい。このようにＲ部３０を設けることにより、スリット部２１の角部を減少させることができる。このため、スリット部２１の応力が集中する部分を減少させることができ、端子カバー１８自体の耐久性を向上させることが可能になる。
ここで、一般に直角等で形成されている部分（円弧形状になっていない場合、鋭角形状になっている場合を含む）には、応力がかかり易い。そのため、そのスリットの直角部分から亀裂等が生じる虞がある。このため、スリットの直角部分（角部）を減少させることで、端子カバー１８自体の耐久性を向上させることが可能になる。尚、当然のことながら、このＲ部３０は、第一スリット２２の長手方向両端部分にも適用することが可能である。また、後述する第二実施形態においても、このＲ部３０を適宜設けることが可能である。
【００３８】
（第二実施形態）
次に、この発明の第二実施形態を図９、図１０に基づいて説明する。尚、第一実施形態と同一態様には、同一符号を付して説明する。
図９は、この第二実施形態に係る端子カバー４０を示すものであって、携帯電話機１のバッテリーカバー１５を取り外した状態を示す平面図である。この第二実施形態において、端子カバー４０が断面略Ｌ字状に形成されたものであって、携帯電話機１の開口部１６（図１参照）を閉塞するカバー本体１９と、カバー本体１９から第一筐体２の長手方向（外部機器からのコネクタの挿抜方向）に沿って第一筐体２の基端部４ａ側に向かって延出する舌片部２０とが一体成形されている点は、前記第一実施形態と同様である。
【００３９】
図９に示すように、この第二実施形態と前記第一実施形態との相違点は、前記第一実施形態における端子カバー１８の舌片部２０には、略十字状のスリット２１が一つ形成されているのに対し、この第二実施形態における端子カバー４０の舌片部２０には、一対の略十字状のスリット２１，２１が形成されている点、また、端子カバー４０の幅が端子カバー１８の幅と比較して大きくなっており、第一実施形態の開口部１６よりも大きい開口部４１、つまり、外部機器（不図示）からのコネクタ２９が第一実施形態のものより大きいタイプのものに対応できるようになっている点にある。
【００４０】
これらスリット２１，２１は、第一筐体２の長手方向に沿って延在する第一スリット２２ａ，２２ｂと、第一スリットに直交する第二スリット２３，２３とで構成されている。
第一スリット２２，２２は、舌片部２０の幅方向略中央を中心にして幅方向に振り分け配置されている。第二スリット２３，２３は、それぞれ第一スリット２２，２２の略中央からカバー本体１９寄りに形成されている。
【００４１】
第一筐体２の裏面には、舌片部２０に対応する部分に舌片部２０を収納するための凹部２５が設けられている。この凹部２５の底面には、舌片部２０の一対の第一スリット２２ａ，２２ｂに対応する部分に一対の突起２６，２６が設けられている。突起２６，２６は、端子カバー１８のカバー本体１９が筐体２の開口部１６を閉塞している状態において、第二スリット２３，２３よりも筐体２の基端部４ａ寄り（図９における上側寄り）に配設されている。すなわち、端子カバー４０のカバー本体１９が筐体２の開口部１６を閉塞している状態においては、突起２６，２６とカバー本体１９との間に第二スリット２３，２３が配置されるようになっている。
【００４２】
したがって、上述の第二実施形態によれば、第一実施形態と同様の効果が奏される。さらに、端子カバー４０のサイズが大きくなっている（この第二実施形態においては端子カバー４０の幅が第一実施形態の端子カバー１８と比較して大きくなっている）場合において、スリット２１を二箇所に形成し、これに対応する部分に突起２６を二箇所形成することによって、端子カバー４０の大きさに係らず安定した端子カバー４０のスライド動作を可能にしている。
【００４３】
また、スリット２１と突起２６をそれぞれ二箇所形成することによって、スリット２１が一箇所の場合と比較して端子カバーのガタツキを小さくすることができる。
すなわち、前述した第一実施形態のように、スリット２１が一箇所の場合においては、第一筐体２に凹部２５を設け、この凹部２５が端子カバー１８のスライド方向へのガイドの役割を果たすと共に、端子カバー１８のガタツキを防止する効果も奏しているが、この第二実施形態のように、スリット２１、突起２６をそれぞれ二箇所設ける場合においては、第一筐体２に凹部２５を設けなくとも安定した端子カバー４０のスライド動作を可能にすることができる。
【００４４】
尚、図１０に示すように、第二スリット２３，２３を第一スリット２２，２２と直交させずに、それぞれ第一スリット２２，２２から直角に外側に向かって延出するように設けてもよい。ここでの第二スリット２３，２３には、その外側端部から第一筐体２の基端部４ａ側に向かって延出するスリット４２，４２が一体成形され、第二スリット２３，２３が略Ｌ字状になっている。
この場合、第一筐体２に設けられる突起２６，２６もスリット２１，２１の形状に対応する形状にすることが望ましい。このようにすることで、突起２６，２６に対する第二スリット２３，２３（スリット４２，４２）の嵌め込み部分を複雑化し、結果的に第一筐体２１からの端子カバー４０の不用意な脱落を確実に防止することができる。
【００４５】
また、本発明は上述の実施形態に限られるものではなく、本発明の趣旨を逸脱しない範囲において、上述の実施形態に種々の変更を加えたものを含む。
また、上述の第一実施形態では、端子カバー１８の舌片部２０に第一スリット２２と第二スリット２３とが直交するように形成されている場合について説明した。また、上述の第二実施形態では、第二スリット２３をそれぞれ第一スリット２２，２２から直角に外側に向かって延出するように設け、第二スリット２３が略Ｌ字状に形成されている場合について説明した。しかしながら、スリット２１の形状はこれらに限られるものではなく、第二スリット２３に対応するように形成されている突起２６の頭部２８が、端子カバー１８の突起本体２７からの抜け防止として機能する構造であればよい。
【００４６】
そして、上述の実施形態では、端子カバー１８がエラストマで形成された場合について説明したが、端子カバー１８を構成するカバー本体１９と舌片部２０のうち少なくとも舌片部２０が弾性を有する構造であればよい。
この場合、カバー本体１９を硬質な樹脂で成形し、このカバー本体１９と弾性を有する舌片部２０と一体成形してもよい。このようにすることで、コネクタ２９の非接続時において、より確実に接続端子１７を衝撃等から保護することができる。
【００４７】
また、上述の実施形態では、突起２６の突起本体２７が略円柱状に形成されている場合について説明したが、突起本体２７は円柱状に限らず、第一スリット２２を通過可能な形状であればよい。
さらに、上述の実施形態では、突起２６の頭部２８が短冊状に形成されたものである場合について説明したが、頭部２８の形状はこれに限らず、第二スリット２３を通過可能、且つ端子カバー１８を第一筐体２にセットした状態（図２参照）で第一スリット２２が通過できない形状であればよい。
そして、上述した実施形態では、第一筐体２の端子カバー１８に対応する部分に、凹部２４，２５を形成した場合について説明したが、これら凹部２４，２５を形成しなくてもよい。
【００４８】
また、上述の第一実施形態では、端子カバー１８の舌片部２０にスリット２１を一つ設けた場合について説明し、上述の第二実施形態では、端子カバー４０の舌片部２０に一対のスリット２１，２１を設けた場合について説明したが、スリット２１の個数はこれらに限られるものではなく、複数個設けてもよい。
さらに、上述の実施形態では、端子カバー１８，４０の大きさによって、スリット２１の個数を決定していたが、端子カバー１８，４０の大きさに係らず複数個設けてもよい。
【図面の簡単な説明】
【００４９】
【図１】本発明の実施形態における携帯電話機の斜視図である。
【図２】図１のＡ矢視図である。
【図３】本発明の第一実施形態における端子カバーの斜視図である。
【図４】図２のＢ−Ｂ線に沿う断面図である。
【図５】本発明の第一実施形態における筐体に端子カバーを取り付ける状態を示す平面図である。
【図６】本発明の第一実施形態における端子カバーをスライドさせた状態を示す平面図である。
【図７】図６の側面図である。
【図８】本発明の第一実施形態における他の実施形態の端子カバーの平面図である。
【図９】本発明の第二実施形態における携帯電話機の一部平面図である。
【図１０】本発明の第二実施形態における他の実施形態の端子カバーの平面図である。
【符号の説明】
【００５０】
１…携帯電話機（電子機器）、２…第一筐体、３…第二筐体、１６…開口部、１７…接続端子、１８，４０…端子カバー、１９…カバー本体、２０…舌片部、２１…スリット、２２…第一スリット、２３…第二スリット、２６…突起、２７…突起本体、２８…頭部
【図１】
2008084754.tif 000003
【図２】
2008084754.tif 000004
【図３】
2008084754.tif 000005
【図４】
2008084754.tif 000006
【図５】
2008084754.tif 000007
【図６】
2008084754.tif 000008
【図７】
2008084754.tif 000009
【図８】
2008084754.tif 000010
【図９】
2008084754.tif 000011
【図１０】
2008084754.tif 000012